(57)【要約】【課題】高速に移動する対象に対して確実にレーザ光を照射するための技術を提供する。【解決手段】レーザ光照射装置が、将来の特定時刻において対象が移動することが予測される少なくとも一の移動予測位置を算出する制御装置（６）と、伝送レーザ光を生成する伝送レーザ光源（１１）と、伝送レーザ光を対象（１０）に向けて出射し、移動予測位置に向けて探索レーザ光を出射するように構成された照射光学系（５）と、探索レーザ光が移動予測位置に向けて出射されているときに返ってくる観測光に応じて、該特定時刻において伝送レーザ光の波面を補正するように構成された波面補正光学系（１２）とを具備する。【選択図】図１
2020016370.tif 000002
【特許請求の範囲】
【請求項１】
将来の特定時刻において対象が移動することが予測される少なくとも一の移動予測位置を算出する制御装置と、
伝送レーザ光を生成する伝送レーザ光源と、
前記伝送レーザ光を前記対象に向けて出射し、前記移動予測位置に向けて探索レーザ光を出射するように構成された照射光学系と、
前記探索レーザ光が前記移動予測位置に向けて出射されているときに返ってくる観測光に応じて、前記特定時刻において前記伝送レーザ光の波面を補正するように構成された波面補正光学系
とを具備する
レーザ光照射装置。
【請求項２】
請求項１に記載のレーザ光照射装置であって、
更に、前記伝送レーザ光源と別に設けられた、前記探索レーザ光を生成する探索レーザ光源を備えている
レーザ光照射装置。
【請求項３】
請求項２に記載のレーザ光照射装置であって、
前記探索レーザ光が、前記伝送レーザ光と異なる波長を有している
レーザ光照射装置。
【請求項４】
請求項２又は３に記載のレーザ光照射装置であって、
前記伝送レーザ光源によって生成された前記伝送レーザ光が前記対象に向けて出射されているときに、前記探索レーザ光源によって生成された前記探索レーザ光が前記移動予測位置に向けて出射される
レーザ光照射装置。
【請求項５】
請求項１乃至４のいずれか１項に記載のレーザ光照射装置であって、
前記特定時刻における前記伝送レーザ光の波面の補正に用いられる前記観測光を生じさせる前記探索レーザ光が、前記特定時刻より前に前記移動予測位置に向けて照射される
レーザ光照射装置。
【請求項６】
請求項１乃至５のいずれか１項に記載のレーザ光照射装置であって、
更に、対象を観測して観測情報を取得する対象観測装置を具備し、
前記少なくとも一の移動予測位置は、複数の移動予測位置を含み、
前記制御装置は、前記探索レーザ光が前記複数の移動予測位置のそれぞれに向けて出射されているときに返ってくる観測光に応じて前記複数の移動予測位置のそれぞれについて波面補正データを算出し、前記観測情報に基づいて前記特定時刻における前記対象の位置を特定し、前記特定された前記対象の位置と前記複数の移動予測位置のそれぞれについて算出された波面補正データとから、前記特定時刻における前記伝送レーザ光の波面の補正に実際に用いられる波面補正データを決定し、
前記波面補正光学系は、前記特定時刻において、決定された前記波面補正データに基づいて前記伝送レーザ光の波面を補正する
レーザ光照射装置。
【請求項７】
請求項１乃至６のいずれか１項に記載のレーザ光照射装置であって、
更に、気象を示す気象情報を取得する気象計を備え、
前記伝送レーザ光の波面が、前記気象情報に基づいて補正される
レーザ光照射装置。
【請求項８】
将来の特定時刻において対象が移動することが予測される少なくとも一の移動予測位置を算出することと、
前記移動予測位置に向けて探索レーザ光を出射することと、
伝送レーザ光を前記対象に向けて出射することと、
前記探索レーザ光が前記移動予測位置に向けて出射されているときに返ってくる観測光に応じて、前記特定時刻において前記伝送レーザ光の波面を補正すること
とを具備する
レーザ光照射方法。
【請求項９】
請求項８に記載のレーザ光照射方法であって、
前記伝送レーザ光が前記対象に向けて出射されているときに、前記探索レーザ光が前記移動予測位置に向けて出射される
レーザ光照射方法。
【請求項１０】
請求項８又は９に記載のレーザ光照射方法であって、
前記少なくとも一の移動予測位置は、複数の移動予測位置を含み、
前記伝送レーザ光の波面を補正することは、
前記探索レーザ光が前記複数の移動予測位置のそれぞれに向けて出射されているときに返ってくる観測光に応じて前記複数の移動予測位置のそれぞれについて波面補正データを算出することと、
前記対象を観測して前記特定時刻における前記対象の位置を特定することと、
前記特定された前記対象の位置と前記複数の移動予測位置のそれぞれについて算出された波面補正データとから、前記特定時刻における前記伝送レーザ光の波面の補正に実際に用いられる波面補正データを決定することと、
前記特定時刻において、決定された前記波面補正データに基づいて前記伝送レーザ光の波面を補正すること
とを含む
レーザ光照射方法。
【発明の詳細な説明】
【技術分野】
【０００１】
本発明は、レーザ光照射装置及びレーザ光照射方法に関する。
【背景技術】
【０００２】
レーザ光照射装置によって遠くに存在する対象（target）にレーザ光を照射する場合、レーザ光は、大気の揺らぎの影響を受ける。例えば、大気の揺らぎによってレーザ光の波面が乱されると、レーザ光は、光路が曲がったり拡散したりすることがある。
【０００３】
レーザ光の波面を補正することは、大気の揺らぎの影響を低減するために有効である（特開２０１１−１８５５６７号公報参照）。このような技術は、補償光学と呼ばれることがある。補償光学については、下記のウェブサイトにも開示されている。
https://www.subarutelescope.org/Introduction/instrument/AO.html
【０００４】
レーザ光を照射すべき対象は、高速に移動することがある。高速に移動する対象に対しても確実にレーザ光を照射することが望まれる。
【先行技術文献】
【特許文献】
【０００５】
【特許文献１】特開２０１１−１８５５６７号公報
【非特許文献】
【０００６】
【非特許文献１】https://www.subarutelescope.org/Introduction/instrument/AO.html
【発明の概要】
【発明が解決しようとする課題】
【０００７】
したがって、本発明の目的は、高速に移動する対象に対して確実にレーザ光を照射するための技術を提供することにある。本発明の他の目的及び新規な特徴は、以下の開示から当業者には理解されるであろう。
【課題を解決するための手段】
【０００８】
以下に、「発明を実施するための形態」で使用される符号を付しながら、課題を解決するための手段を説明する。これらの符号は、「特許請求の範囲」の記載と「発明を実施するための形態」との対応関係の一例を示すために付加されたものである。
【０００９】
本発明の一の観点では、レーザ光照射装置（１００、１００Ａ）が、将来の特定時刻において対象（１０）が移動することが予測される少なくとも一の移動予測位置を算出する制御装置（６）と、伝送レーザ光を生成する伝送レーザ光源（１１）と、伝送レーザ光を対象（１０）に向けて出射し、該移動予測位置に向けて探索レーザ光を出射するように構成された照射光学系（５）と、探索レーザ光が移動予測位置に向けて出射されているときに返ってくる観測光に応じて、特定時刻において伝送レーザ光の波面を補正するように構成された波面補正光学系（１２）とを具備している。
【００１０】
一実施形態では、当該レーザ光照射装置（１００）が、更に、伝送レーザ光源（１１）と別に設けられた、探索レーザ光を生成する探索レーザ光源（１３）を備えていてもよい。このような構成では、伝送レーザ光源（１１）によって生成された伝送レーザ光が対象（１０）にむけて出射されているときに、探索レーザ光源（１３）によって生成された探索レーザ光が移動予測位置に向けて出射可能である。このような動作では、探索レーザ光は、伝送レーザ光と異なる波長を有していることが好ましい。
【００１１】
一実施形態では、特定時刻における伝送レーザ光の波面の補正に用いられる観測光を生じさせる探索レーザ光が、特定時刻より前に移動予測位置に向けて照射される。
【００１２】
一実施形態では、複数の移動予測位置が予測される。この場合、一実施形態では、制御装置（６）は、探索レーザ光が複数の移動予測位置のそれぞれに向けて出射されているときに返ってくる観測光に応じて複数の移動予測位置のそれぞれについて波面補正データを算出し、対象（１０）を観測する対象観測装置によって得られた観測情報に基づいて特定時刻における対象（１０）の位置を特定し、特定された対象（１０）の位置と複数の移動予測位置のそれぞれについて算出された波面補正データとから、該特定時刻における伝送レーザ光の波面の補正に実際に用いられる波面補正データを決定する。この場合、波面補正光学系（１２）は、該特定時刻において、決定された波面補正データに基づいて伝送レーザ光の波面を補正する。
【００１３】
一実施形態では、当該レーザ光照射装置（１００、１００Ａ）が、更に、気象を示す気象情報を取得する気象計（２）を備えている。この場合、伝送レーザ光の波面が、気象情報に基づいて補正されてもよい。
【００１４】
本発明の他の観点では、レーザ光照射方法が、将来の特定時刻において対象（１０）が移動することが予測される少なくとも一の移動予測位置を算出することと、移動予測位置に向けて探索レーザ光を出射することと、伝送レーザ光を対象（１０）に向けて出射することと、探索レーザ光が移動予測位置に向けて出射されているときに返ってくる観測光に応じて、特定時刻において伝送レーザ光の波面を補正することとを具備する。
【００１５】
一実施形態では、伝送レーザ光が対象（１０）にむけて出射されているときに、探索レーザ光が移動予測位置に向けて出射される。
【００１６】
一実施形態では、複数の移動予測位置が予測される。この場合、伝送レーザ光の波面を補正することは、探索レーザ光が複数の移動予測位置のそれぞれに向けて出射されているときに返ってくる観測光に応じて複数の移動予測位置のそれぞれについて波面補正データを算出することと、対象（１０）を観測して特定時刻における対象（１０）の位置を特定することと、特定された対象（１０）の位置と複数の移動予測位置のそれぞれについて算出された波面補正データとから、特定時刻における伝送レーザ光の波面の補正に実際に用いられる波面補正データを決定することと、特定時刻において、決定された波面補正データに基づいて伝送レーザ光の波面を補正することとを含んでいてもよい。
【発明の効果】
【００１７】
本発明によれば、高速に移動する対象に対して確実にレーザ光を照射するための技術が提供される。
【図面の簡単な説明】
【００１８】
【図１】一実施形態におけるレーザ光照射装置の構成を示すブロック図である。
【図２】一実施形態におけるレーザ光照射装置の動作の手順を示すフローチャートである。
【図３】複数の移動予測位置が算出される動作を説明する図である。
【図４】他の実施形態におけるレーザ光照射装置の構成を示すブロック図である。
【発明を実施するための形態】
【００１９】
図１は、一実施形態におけるレーザ光照射装置１００の構成を示すブロック図である。レーザ光照射装置１００は、伝送レーザ光を対象１０に照射するように構成されている。レーザ光照射装置１００が対象１０の破壊に用いられる場合には、高出力の伝送レーザ光が対象１０に照射されてもよい。また、レーザ光照射装置１００が対象１０との光通信に用いられる場合、通信データに応じて変調された伝送レーザ光が対象１０に照射されてもよい。
【００２０】
本実施形態のレーザ光照射装置１００は、対象１０の移動に応じて伝送レーザ光の波面を適切に補正できるように構成されている。具体的には、レーザ光照射装置１００は、対象１０が将来の時刻ｔｋにおいて移動すると予測される位置である移動予測位置を予測し、該移動予測位置に向けて探索レーザ光を出射する。レーザ光照射装置１００は、探索レーザ光を出射しているときにレーザ光照射装置１００に返ってくる観測光から、レーザ光照射装置１００と移動予測位置との間の光路における大気の揺らぎの情報を取得する。移動予測位置に向けて探索レーザ光を出射すると、大気における光散乱によって後方散乱光が生成されるので、その後方散乱光が観測光として使用可能である。また、対象１０の大きさが十分に大きく、探索レーザ光が対象１０によって反射される場合には、反射光が観測光として使用可能である。レーザ光照射装置１００は、当該時刻ｔｋにおいて、観測光に含まれる大気の揺らぎの情報に応じて波面を補正した伝送レーザ光を、対象１０に向けて出射する。このような動作によれば、対象１０が高速に移動している場合でも、伝送レーザ光の波面を適切に補正し、対象１０に伝送レーザ光を照射する確実性を向上することができる。以下、レーザ光照射装置１００の構成と動作について詳細に説明する。
【００２１】
本実施形態では、レーザ光照射装置１００が、対象観測装置１と、気象計２と、伝送レーザ光生成部３と、大気揺らぎ観測部４と、照射光学系５と、制御装置６とを備えている。
【００２２】
対象観測装置１は、大気中を移動する対象１０を観測して、対象１０の動きを示す観測情報を取得する。観測情報は、例えば、対象１０の現在位置、移動速度、移動方向を含んでいてもよい。対象観測装置１は、レーダやカメラなどを備えていてもよい。
【００２３】
気象計２は、気象を示す気象情報を取得する。気象情報は、例えば、風速、風向、気温、湿度を示す情報を含んでいてもよい。
【００２４】
伝送レーザ光生成部３は、対象１０に照射する伝送レーザ光を生成する。伝送レーザ光を対象１０に照射する目的が対象１０の破壊にある場合には、伝送レーザ光生成部３は、高出力の伝送ビームを生成可能に構成される。
【００２５】
本実施形態では、伝送レーザ光生成部３が、伝送レーザ光源１１と波面補正光学系１２とを備えている。伝送レーザ光源１１は、レーザ発振器を備えており、伝送レーザ光を生成する。波面補正光学系１２は、伝送レーザ光源１１から受け取った伝送レーザ光の波面を補正する。波面補正光学系１２は、制御装置６から受け取った波面補正データに応じて伝送レーザ光の波面を補正するように構成されている。ここで、波面補正データは、伝送レーザ光の波面をどのように補正すべきかを示すデータである。波面補正光学系１２は、例えば、反射面の形状が可変である形状可変ミラーを備えていてもよい。この場合、形状可変ミラーの反射面の形状が、波面補正データに応じて制御される。波面補正光学系１２によって波面が補正された伝送レーザ光が、照射光学系５に供給される。
【００２６】
大気揺らぎ観測部４は、大気の揺らぎの観測に用いられる探索レーザ光を生成すると共に、探索レーザ光を照射光学系５から出射したときに大気から得られる観測光に基づいて大気の揺らぎを観測するように構成されている。本実施形態では、大気揺らぎ観測部４が、探索レーザ光源１３と、ハーフミラー１４、波面センサ１５とを備えている。探索レーザ光源１３は、探索レーザ光を生成する。ハーフミラー１４は、生成された探索レーザ光を反射して照射光学系５に供給すると共に、照射光学系５から受け取った観測光を通過させて波面センサ１５に供給する。波面センサ１５は、観測光の波面を検出し、観測光の波面の状態を示す波面センサ出力を生成する。
【００２７】
照射光学系５は、伝送レーザ光生成部３によって生成された伝送レーザ光を対象１０に向けて出射する。照射光学系５は、更に、大気揺らぎ観測部４によって生成された探索レーザ光を出射すると共に、探索レーザ光を出射している間に大気から得られる観測光を大気揺らぎ観測部４に出射する。
【００２８】
本実施形態では、照射光学系５は、ハーフミラー１６と、鏡筒部１７とを備えている。ハーフミラー１６は、伝送レーザ光生成部３から入射された伝送レーザ光を通過させて鏡筒部１７に入射するように構成されている。加えて、ハーフミラー１６は、大気揺らぎ観測部４から入射された探索レーザ光を反射して鏡筒部１７に入射すると共に、鏡筒部１７から出射された観測光を反射して大気揺らぎ観測部４に供給する。鏡筒部１７は、伝送レーザ光と探索レーザ光とを所望の方向に出射し、更に、所望の方向の観測光を受光することができるように構成されている。
【００２９】
制御装置６は、伝送レーザ光を対象１０に照射する上で必要となるデータ処理を行うと共に、レーザ光照射装置１００全体の制御を行う。一実施形態では、制御装置６は、以下のように動作する。まず、制御装置６は、対象観測装置１によって得られた観測情報に基づいて対象１０の将来の時刻における移動予測位置を算出する。また、制御装置６は、探索レーザ光を移動予測位置に向けて出射するように探索レーザ光源１３と照射光学系５を制御する。更に、制御装置６は、観測光に応じて波面センサ１５が出力する波面センサ出力に基づいて、波面補正光学系１２に供給すべき波面補正データを生成する。波面補正データは、波面センサ出力に加え、気象計２によって得られた気象情報に基づいて生成されてもよい。更に制御装置６は、所望の方向に伝送レーザ光を出射するように伝送レーザ光源１１と照射光学系５とを制御する。
【００３０】
図２は、レーザ光照射装置１００の動作の手順を示すフローチャートである。
【００３１】
ステップＳ０１では、対象観測装置１によって取得された観測情報に基づいて、将来の時刻ｔｋにおいて対象１０が移動することが予測される位置、即ち、時刻ｔｋにおける移動予測位置が制御装置６によって算出される。対象観測装置１がレーダを含んでいる場合、レーダによって得られた対象１０の現在位置、移動速度及び移動方向に基づいて時刻ｔｋにおける移動予測位置が算出されてもよい。また、対象観測装置１がカメラを含んでいる場合、カメラによって得られた撮像画像から対象１０の現在位置、移動速度及び移動方向が算出され、更に、時刻ｔｋにおける移動予測位置が算出されてもよい。
【００３２】
続いて、ステップＳ０２では、探索レーザ光が移動予測位置に向けて出射される。制御装置６による制御の下、探索レーザ光源１３によって探索レーザ光が生成され、更に、鏡筒部１７が、探索レーザ光が移動予測位置に向けて出射されるように操作される。
【００３３】
ステップＳ０３では、探索レーザ光が移動予測位置に向けて出射されている間に鏡筒部１７に返ってくる観測光が波面センサ１５によって受光される。観測光の波面形状に応じた波面センサ出力が、波面センサ１５から出力される。観測光の波面は、レーザ光照射装置１００と移動予測位置との間の大気の揺らぎの情報を含んでいるので、波面センサ出力は、大気の揺らぎの情報を含んでいる。
【００３４】
ステップＳ０４では、波面センサ１５から出力される波面センサ出力に基づいて、時刻ｔｋにおいて波面の補正に用いられる波面補正データが算出される。波面センサ出力を参照することにより、レーザ光照射装置１００と移動予測位置との間の大気の揺らぎに応じた波面補正データが算出可能である。波面補正データの算出においては、気象計２によって得られた気象情報を参照してもよい。一実施形態では、気象情報は、大気の状態を示す情報、例えば、風速、風向、気温及び湿度を示す情報として取得される。取得された気象情報に基づいて大気の揺らぎの時間変化が制御装置６によって予想され、その予測に応じて波面補正データが算出されてもよい。気象情報に基づいて波面補正データを算出することで、波面の補正の精度を向上できる。
【００３５】
ステップＳ０５では、時刻ｔｋにおいて、ステップＳ０４で算出された波面補正データに応じて伝送レーザ光の波面を補正しながら伝送レーザ光が対象１０に向けて出射される。対象１０への伝送レーザ光の照射を開始する時刻は、時刻ｔｋであってもよいし、時刻ｔｋよりも前であってもよい。対象１０への伝送レーザ光の照射を開始する時刻が時刻ｔｋよりも前である場合、対象１０を追尾しながら伝送レーザ光が対象１０に照射される。この場合にも、少なくとも時刻ｔｋにおいてはステップＳ０４で算出された波面補正データに応じて伝送レーザ光の波面が補正される。
【００３６】
時刻ｔｋよりも後の時刻ｔｋ＋１、ｔｋ＋２・・・における伝送レーザ光の波面の補正も同様にして行われる。ここで、時刻ｔｋ＋１における伝送レーザ光の波面の補正のための探索レーザ光の出射は、それよりも前の時刻ｔｋにおける伝送レーザ光の出射と並行して行われてもよい。具体的には、時刻ｔｋにおいて、伝送レーザ光は、時刻ｔｋにおける移動予測位置に向けて出射され、探索レーザ光は、時刻ｔｋ＋１における移動予測位置に向けて出射されてもよい。本実施形態では、伝送レーザ光と探索レーザ光とが、それぞれ、伝送レーザ光源１１、探索レーザ光源１３によって別々に生成されるので、伝送レーザ光の出射と並行して探索レーザ光を出射可能である。
【００３７】
一実施形態では、探索レーザ光は、伝送レーザ光の波長と異なる波長を有していてもよい。探索レーザ光が伝送レーザ光の波長と異なる波長を有していることで、探索レーザ光と伝送レーザ光の分離が容易になる。例えば、鏡筒部１７は、波長の差を利用して、探索レーザ光を伝送レーザ光と異なる方向に出射可能であるように構成されてもよく、ハーフミラー１６は、波長の差を利用して、観測光を選択的に大気揺らぎ観測部４に供給するように構成されてもよい。
【００３８】
本実施形態のレーザ光照射装置１００は、高速に移動する対象１０について伝送レーザ光の波面を適正に補正できるという利点がある。従来の補償光学による手法をそのまま適用する場合、伝送レーザ光が対象１０によって反射されて生成される反射光から大気の揺らぎの情報を取得し、その大気の揺らぎの情報に基づいて伝送レーザ光の波面が補正される。しかしながら、このような手法では、大気の揺らぎの情報を取得した時刻から波面の補正を実際に行う時刻までにタイムラグが不可避的に存在するので、対象１０が移動することにより、大気の揺らぎの情報を得た光路と、波面が補正された伝送レーザ光が出射される光路とが相違することになる。これは、波面の補正の精度を低下させる。一方、本実施形態のレーザ光照射装置１００では、大気の揺らぎの情報を得た光路と、波面が補正された伝送レーザ光が出射される光路とを一致させることができるので、対象１０が高速に移動する場合でも、伝送レーザ光の波面を適正に補正することができる。
【００３９】
加えて、本実施形態のレーザ光照射装置１００は、レーザ光照射装置１００に含まれる各装置の応答速度の要求を緩和できるという利点がある。本実施形態のレーザ光照射装置１００の動作は、探索レーザ光の出射及び観測光の受光から、伝送レーザ光の波面を実際に補正するまでの時間的猶予を確保することができる。これは、レーザ光照射装置１００に含まれる各装置、具体的には、波面センサ１５、制御装置６及び波面補正光学系１２の応答速度に対する要求を緩和できることを意味している。
【００４０】
図３に図示されているように、ステップＳ０１において、複数の移動予測位置が算出され、そのそれぞれについて大気の揺らぎの情報が取得されてもよい。図３には、Ｎ個の移動予測位置＃１〜＃Ｎが算出される例が示されている。ここで、Ｎは、２以上の整数である。
【００４１】
この場合、ステップＳ０２では、探索レーザ光が、移動予測位置＃１〜＃Ｎのそれぞれに向けて出射され、更に、ステップＳ０４では、レーザ光照射装置１００に返ってくる観測光に基づいて移動予測位置＃１〜＃Ｎのそれぞれについて波面補正データが算出される。ここで、移動予測位置＃ｉについて算出される波面補正データは、探索レーザ光が移動予測位置＃ｉに向けて出射されたときに返ってくる観測光に基づいて算出される。ここで、ｉは、１以上Ｎ以下の整数である。
【００４２】
ステップＳ０５では、時刻ｔｋにおける対象１０の位置が対象観測装置１によって得られた観測情報に基づいて特定され、特定された対象１０の位置に応じて、波面の補正に実際に用いられる波面補正データが、移動予測位置＃１〜＃Ｎのそれぞれについて算出された波面補正データから決定される。一実施形態では、移動予測位置＃１〜＃Ｎのうちから、時刻ｔｋにおける対象１０の位置に最も近い移動予測位置が選択され、その移動予測位置について算出された波面補正データが、時刻ｔｋにおける波面の補正に用いられてもよい。他の実施形態では、時刻ｔｋにおける対象１０の位置に近い複数の移動予測位置が選択され、該複数の移動予測位置について算出された波面補正データの内挿によって波面の補正に実際に用いられる波面補正データが算出されてもよい。
【００４３】
このようにして波面補正データを算出することにより、対象１０の移動方向や速度の変化に応じて適切に伝送レーザ光の波面を補正することができる。
【００４４】
図４は、他の実施形態におけるレーザ光照射装置１００Ａの構成を示すブロック図である。本実施形態では、探索レーザ光源１３とハーフミラー１４とは設けられず、伝送レーザ光源１１によって同一波長の探索レーザ光と伝送レーザ光とが時分割で生成される。
【００４５】
図４の構成のレーザ光照射装置１００Ａにおいても、探索レーザ光と伝送レーザ光とが時分割で生成されることを除き、図２に示された手順と類似の手順で伝送レーザ光が対象１０に照射される。
【００４６】
ステップＳ０１では、時刻ｔｋにおける移動予測位置が算出され、ステップＳ０２では、伝送レーザ光源１１によって生成された探索レーザ光が移動予測位置に向けて出射される。ステップＳ０３では、探索レーザ光が移動予測位置に向けて出射されている間に鏡筒部１７に返ってくる観測光が波面センサ１５によって受光される。
【００４７】
ステップＳ０４では、波面センサ１５から出力される波面センサ出力に基づいて、時刻ｔｋにおいて波面の補正に用いられる波面補正データが算出される。ステップＳ０５では、時刻ｔｋにおいて、ステップＳ０４で算出された波面補正データに応じて伝送レーザ光の波面を補正しながら伝送レーザ光が対象１０に向けて出射される。
【００４８】
図４のレーザ光照射装置１００Ａの構成は、探索レーザ光を生成する専用の光源が不要であり、装置の規模を小さくできる。図４の構成は、伝送レーザ光を連続して対象１０に照射することが求められない用途、例えば、光通信において有用である。
【００４９】
以上には、本発明の実施形態が具体的に記述されているが、本発明は、上記の実施形態に限定されない。本発明が種々の変更と共に実施され得ることは、当業者には理解されよう。また、本明細書に開示された実施形態は、技術的な矛盾が無い限り、組み合わせて実施可能であることに留意されたい。
【符号の説明】
【００５０】
１００、１００Ａ：レーザ光照射装置
１        ：対象観測装置
２        ：気象計
３        ：伝送レーザ光生成部
４        ：大気揺らぎ観測部
５        ：照射光学系
６        ：制御装置
１０      ：対象
１１      ：伝送レーザ光源
１２      ：波面補正光学系
１３      ：探索レーザ光源
１４      ：ハーフミラー
１５      ：波面センサ
１６      ：ハーフミラー
１７      ：鏡筒部
【図１】
2020016370.tif 000003
【図２】
2020016370.tif 000004
【図３】
2020016370.tif 000005
【図４】
2020016370.tif 000006